(57)【要約】【課題】  薬液を効率良く供給しながら、藻などの発生を防止できるようにする。【解決手段】  冷却用循環水Ｗに薬液を供給可能な薬液供給部４を設けてある薬液供給装置であって、日照強さが設定強さ以上になると薬液供給動作を開始し、日照強さが設定強さ未満になると薬液供給動作を停止するように薬液供給部の作動を制御可能な供給制御部６を設けてある。【選択図】        図１
2005218936.tif 000002
【特許請求の範囲】
【請求項１】
冷却用循環水に薬液を供給可能な薬液供給部を設けてある薬液供給装置であって、
日照強さが設定強さ以上になると薬液供給動作を開始し、日照強さが設定強さ未満になると薬液供給動作を停止するように前記薬液供給部の作動を制御可能な供給制御部を設けてある薬液供給装置。
【請求項２】
前記供給制御部を、太陽電池パネルによる発電量に基づいて前記日照強さを検出するように構成してある請求項１記載の薬液供給装置。
【請求項３】
前記薬液供給部を駆動可能な電動式の駆動部と、前記太陽電池パネルで発電した電力を充電可能で、かつ、前記駆動部の駆動用電力を供給可能な蓄電池とを設け、
前記供給制御部を、前記日照強さが前記設定強さ以上になると、前記蓄電池から前記駆動部へ駆動電力を所定時間間隔で供給する電力供給動作を開始し、前記日照強さが前記設定強さ未満になると、前記電力供給動作を停止させるように制御可能に設けてある請求項２記載の薬液供給装置。
【請求項４】
前記所定時間間隔を、前記太陽電池パネルで発電した電力の前記蓄電池への充電量が、前記蓄電池から前記駆動部への電力供給量を越えるように設定してある請求項３記載の薬液供給装置。
【請求項５】
前記所定時間間隔又は前記所定時間間隔毎の薬液供給量を変更設定自在に設けてある請求項３又は４記載の薬液供給装置。
【請求項６】
前記供給制御部を、前記蓄電池の電力を使用して作動させるように設けてある請求項３〜５のいずれか１項記載の薬液供給装置。
【発明の詳細な説明】
【技術分野】
【０００１】
本発明は、冷却用循環水に薬液を供給可能な薬液供給部を設けてある薬液供給装置に関する。
【背景技術】
【０００２】
空調装置や工業用プラント等などで発生する熱を冷却するための冷却用循環水は、その循環水を冷却する大気開放式の冷却塔の運転に伴い、大気中から雑菌などが入り込んで、藻やスライムが発生し易くなる問題がある。
上記薬液供給装置は、このような藻やスライムの発生を防止するために、冷却用循環水に薬液を供給可能な薬液供給部を設けてあり、従来、例えば循環水中の残留ハロゲン濃度などの測定により、藻やスライムなどが発生し易い状態であると判定したときは、商用電源から供給される電力で電動式の薬液供給ポンプを運転して必要な薬液を供給し、藻やスライムなどが発生し難い状態であると判定したときは、薬液供給ポンプの運転を停止するように構成している（例えば、特許文献１参照）。
【０００３】
【特許文献１】特開２００４−１２０４２号公報
【発明の開示】
【発明が解決しようとする課題】
【０００４】
しかしながら、特に藻などは、日照が強くなると、光合成が活発化して生育し易くなり、従来のように、残留ハロゲン濃度などの測定により、藻などが発生し難い状態であると判定しても、日照が強いときには、藻などが発生し易くなっていて、薬液が不足しているおそれがあり、また、残留ハロゲン濃度などの測定により、藻などが発生し易い状態であると判定しても、日照が弱いときには、藻などが発生し難くなっていて、過剰に薬液を供給するおそれがある。
本発明は上記実情に鑑みてなされたものであって、薬液を効率良く供給しながら、藻などの発生を防止できるようにすることを目的とする。
【課題を解決するための手段】
【０００５】
本発明の第１特徴構成は、冷却用循環水に薬液を供給可能な薬液供給部を設けてある薬液供給装置であって、日照強さが設定強さ以上になると薬液供給動作を開始し、日照強さが設定強さ未満になると薬液供給動作を停止するように前記薬液供給部の作動を制御可能な供給制御部を設けてある点にある。
【０００６】
〔作用及び効果〕
日照強さが設定強さ以上になると薬液供給動作を開始し、日照強さが設定強さ未満になると薬液供給動作を停止するように薬液供給部の作動を制御可能な供給制御部を設けてあるので、日照強さが設定強さ以上で、藻などが発生し易いときには、薬液供給動作を開始してその発生を防止でき、日照強さが設定強さ未満で、藻などが発生し難いときには、薬液供給動作を停止して過剰な薬液の供給を防止でき、薬液を効率良く供給しながら、藻などの発生を防止できる。
【０００７】
本発明の第２特徴構成は、前記供給制御部を、太陽電池パネルによる発電量に基づいて前記日照強さを検出するように構成してある点にある。
【０００８】
〔作用及び効果〕
供給制御部を、太陽電池パネルによる発電量に基づいて日照強さを検出するように構成してあるので、日照強さを精度良く検出して、薬液供給動作の開始や停止をタイミング良く制御できる。
【０００９】
本発明の第３特徴構成は、前記薬液供給部を駆動可能な電動式の駆動部と、前記太陽電池パネルで発電した電力を充電可能で、かつ、前記駆動部の駆動用電力を供給可能な蓄電池とを設け、前記供給制御部を、前記日照強さが前記設定強さ以上になると、前記蓄電池から前記駆動部へ駆動電力を所定時間間隔で供給する電力供給動作を開始し、前記日照強さが前記設定強さ未満になると、前記電力供給動作を停止させるように制御可能に設けてある点にある。
【００１０】
〔作用及び効果〕
薬液供給部を駆動可能な電動式の駆動部と、太陽電池パネルで発電した電力を充電可能で、かつ、駆動部の駆動用電力を供給可能な蓄電池とを設けてあるので、太陽電池パネルで発電した電力で薬液供給部を駆動でき、既存の商用電源から離れた場所に設置する場合でも、薬液供給部の駆動部をその商用電源に接続する配線工事などが不要で、設置工事を簡略化することができる。
また、供給制御部を、日照強さが設定強さ以上になると、蓄電池から駆動部へ駆動電力を所定時間間隔で供給する電力供給動作を開始し、日照強さが設定強さ未満になると、電力供給動作を停止させるように制御可能に設けてあるので、日照強さが設定強さ以上になると、薬液供給部を所定時間間隔で間欠的に駆動して、薬液が過剰にならないように少しずつ供給できる。
【００１１】
本発明の第４特徴構成は、前記所定時間間隔を、前記太陽電池パネルで発電した電力の前記蓄電池への充電量が、前記蓄電池から前記駆動部への電力供給量を越えるように設定してある点にある。
【００１２】
〔作用及び効果〕
電力供給動作を行う所定時間間隔を、太陽電池パネルで発電した電力の蓄電池への充電量が、蓄電池から駆動部への電力供給量を越えるように設定してあるので、予備電源を特に設けることなく、薬液供給部を所定時間間隔で安定して駆動できる。
【００１３】
本発明の第５特徴構成は、前記所定時間間隔又は前記所定時間間隔毎の薬液供給量を変更設定自在に設けてある点にある。
【００１４】
〔作用及び効果〕
電力供給動作を行う所定時間間隔又はその所定時間間隔毎の薬液供給量を変更設定自在に設けてあるので、冷却用循環水の総量や単位時間当たりの循環量，季節により異なる日照時間など応じた量で薬液を供給できる。
【００１５】
本発明の第６特徴構成は、前記供給制御部を、前記蓄電池の電力を使用して作動させるように設けてある点にある。
【００１６】
〔作用及び効果〕
蓄電池の電力を使用して供給制御部を作動させるように設けてあるので、供給制御部を作動させるための専用の電源を特に設けることなく設置できる。
【発明を実施するための最良の形態】
【００１７】
以下に本発明の実施の形態を図面に基づいて説明する。
図１は、冷却用循環水系の概略図を示し、冷却用ファン１ａなどを備えた冷却塔１と熱交換器２とに亘って、冷却用循環水Ｗの循環用配管３ａ，３ｂを接続し、冷却塔１から熱交換器２への行き配管３ａに接続した循環ポンプＰ１の駆動で冷却塔１の貯槽１ｂに貯留してある循環水Ｗを熱交換器２に流入させ、熱交換器２を通過した循環水Ｗを戻り配管３ｂを通して冷却塔１に戻し、散水部１ｃから散水して冷却した循環水Ｗを貯槽１ｂに貯留するように構成してある。
【００１８】
前記冷却塔１は屋外に設置してあり、貯槽１ｂの循環水Ｗに薬液を供給可能な薬液供給部４を設けてある本発明による薬液供給装置Ａを設置してある。
【００１９】
前記薬液供給部４は、吐出流量が定量の電動式供給ポンプ（駆動部）Ｐ２の駆動で、薬液タンク５に貯留してある殺藻剤や殺菌剤などの薬液を貯槽１ｂの循環水Ｗに供給するように構成してあり、供給ポンプＰ２による薬液供給部４の作動を制御する供給制御部６と、供給ポンプＰ２と供給制御部６とに電力を供給する太陽光発電装置７とを設けてある。
【００２０】
前記太陽光発電装置７は、冷却塔１近くの屋外に設けてある太陽電池パネル８と、太陽電池パネル８で発電した電力を充電可能で、かつ、供給ポンプＰ２の駆動用電力と供給制御部６の作動用電力とを供給可能な蓄電池９と、太陽電池パネル８で発電した電力の蓄電池９への充電動作と蓄電池９から供給ポンプＰ２及び供給制御部６への給電動作とを制御する充放電コントローラ１０とを備え、蓄電池９の電力を使用して供給ポンプＰ２を駆動させるとともに、供給制御部６を作動させることができるように設けてある。
【００２１】
前記供給制御部６は、薬液の供給時間間隔Ｔ１やその供給時間間隔Ｔ１よりも短い薬液の連続供給時間Ｔ２を計時するタイマー１１と、所定の供給時間間隔Ｔ１や連続供給時間Ｔ２を書き換え可能に記憶しているメモリ１２などを備え、図２のタイムチャートに示すように、充放電コントローラ１０から入力された太陽電池パネル８による発電量に基づいて検出した検出日照強さＫＡが設定強さＳＡ以上になると、メモリ１２に記憶してある供給時間間隔Ｔ１毎に、メモリ１２に記憶してある連続供給時間Ｔ２に亘って薬液を供給する薬液供給動作を開始し、検出日照強さＫＡが設定強さＳＡ未満になると薬液供給動作を停止するように、充放電コントローラ１０を介して、薬液供給部４の作動を制御する。
【００２２】
前記供給時間間隔Ｔ１は、太陽電池パネル８で発電した電力の蓄電池９への充電量が、蓄電池９から供給ポンプＰ２及び供給制御部６への電力供給量を越えるように、例えば１ｃｃ程度の薬液を供給できる２秒程度の連続供給時間Ｔ２に対して、１０分程度に設定して、供給ポンプＰ２に駆動電力を供給していない期間に太陽電池パネル８が発電した電力を蓄電池９に充電できるように設け、メモリ１２に記憶してある供給時間間隔Ｔ１や連続供給時間Ｔ２を書き換え自在なリモコン１３で、循環水Ｗの総量や単位時間当たりの循環量，季節により異なる日照時間などに応じて、供給時間間隔Ｔ１毎の薬液供給量や、供給時間間隔Ｔ１を設定変更自在に設けてある。
【００２３】
前記供給制御部６による制御動作を、図３に示すフローチャートを参照しながら説明する。
つまり、検出日照強さＫＡが設定強さＳＡ以上になると（ステップ＃１）、タイマー１１の計時作動を開始して、蓄電池９から供給ポンプＰ２へ駆動電力を所定時間間隔Ｔ１で供給する電力供給動作（ステップ＃２〜＃７）を開始し、検出日照強さＫＡが設定強さＳＡ未満になると、その電力供給動作を停止させる。
【００２４】
前記電力供給動作は、メモリ１２に記憶してある供給時間間隔Ｔ１毎に、メモリ１２に記憶してある連続供給時間Ｔ２に亘って蓄電池９から供給ポンプＰ２に駆動電力を供給するもので、タイマー１１が連続供給時間Ｔ２をタイムアップするまで、蓄電池９から供給ポンプＰ２に駆動電力を供給して、連続供給時間Ｔ２に亘って薬液を供給し（ステップ＃２〜＃５）、供給時間間隔Ｔ１をタイムアップすると、タイマー１１をリセットしてステップ１に戻り（ステップ＃６，＃７）、検出日照強さＫＡが設定強さＳＡ未満になるまで、供給時間間隔Ｔ１毎に連続供給時間Ｔ２に亘って薬液を供給する。
【００２５】
〔その他の実施形態〕
１．本発明による薬液供給装置は、外気温度に基づいて日照強さを検出するように構成してあっても良い。
２．本発明による薬液供給装置は、日照強さが設定強さ以上になると、日照強さが設定強さ未満になるまで、薬液を連続的に供給する薬液供給動作を開始するように設けてあっても良い。
３．本発明による薬液供給装置は、日照強さが設定強さ以上になると蓄電池から駆動部へ駆動電力を所定時間間隔で供給する電力供給動作を、時間帯によって異なる所定時間間隔で供給しても良い。
４．本発明による薬液供給装置は、日照強さが設定強さ以上になると蓄電池から駆動部へ駆動電力を所定時間間隔で供給する電力供給動作を、所定時間間隔毎の連続供給時間を異ならせて供給しても良い。
５．本発明による薬液供給装置は、吐出流量を変更自在な可変容量型の供給ポンプを薬液供給部に設けてあっても良い。
６．本発明による薬液供給装置は、薬液供給配管に接続したバルブの開閉操作で薬液を供給可能な薬液供給部を設けてあっても良い。
７．本発明による薬液供給装置は、太陽電池パネルで発電した電力を充電する蓄電池以外の予備電源を設けてあっても良い。
【図面の簡単な説明】
【００２６】
【図１】薬液供給装置の説明図
【図２】タイムチャート
【図３】フローチャート
【符号の説明】
【００２７】
４    薬液供給部
６    供給制御部
８    太陽電池パネル
９    蓄電池
ＫＡ  日照強さ
ＳＡ  設定強さ
Ｐ２  駆動部
Ｔ１  所定時間間隔
Ｗ    循環水
【図１】
2005218936.tif 000003
【図２】
2005218936.tif 000004
【図３】
2005218936.tif 000005